(57)【要約】【課題】  口腔内での作業を容易に行う。【解決手段】  骨（１８）に固定するためのアンカー部材（１２）と、アンカー部材（１２）のメネジ部（２６）に係合するネジ部材（１４）と、アンカー部材（１２）に支持されるホルダー（１６）からなり、ネジ部材（１４）がアンカー部材（１２）のメネジ部（２６）に締め込まれた状態において、ホルダー（１６）がアンカー部材（１２）に対して固定され、アンカー部材（１２）のメネジ部（２６）に対して緩められてはいるが依然としてアンカー部材（１２）のメネジ部（２６）内に存在する状態において、ホルダー（１６）がアンカー部材（１２）から取り外し可能になることを特徴とする歯列矯正用支持体。【選択図】  図１
2005270175.tif 000002
【特許請求の範囲】
【請求項１】
骨（１８）に固定するためのアンカー部材（１２）と、アンカー部材（１２）のメネジ部（２６）に係合するネジ部材（１４）と、アンカー部材（１２）に支持されるホルダー（１６）からなり、ネジ部材（１４）がアンカー部材（１２）のメネジ部（２６）に締め込まれた状態において、ホルダー（１６）がアンカー部材（１２）に対して固定され、かつ、アンカー部材（１２）のメネジ部（２６）に対して緩められてはいるが依然としてアンカー部材（１２）のメネジ部（２６）内に存在する状態において、ホルダー（１６）がアンカー部材（１２）から取り外し可能になることを特徴とする歯列矯正用支持体。
【請求項２】
骨（１８）に固定するためのアンカー部材（１２）と、アンカー部材（１２）のメネジ部（２６）に係合するネジ部材（１４）と、アンカー部材（１２）に支持されるホルダー（１６）からなり、アンカー部材（１２）が拡大部（２４）を有し、アンカー部材（１２）のメネジ部（２６）に対してネジ部材（１４）を締めることにより、アンカー部材（１２）の拡大部（２４）が拡大されてホルダー（１６）が固定され、かつ、アンカー部材（１２）のメネジ部（２６）に対してネジ部材（１４）を緩めることにより、ネジ部材（１４）がアンカー部材（１２）のメネジ部（２６）内に存在する状態で、ホルダー（１６）がアンカー部材（１２）から取り外しできる構成にした歯列矯正用支持体。
【請求項３】
ネジ部材（１４）の座面（１４ｃ）とホルダー（１６）との間にアンカー部材（１２）の拡大部（２４）が介在していることを特徴とする請求項１または２に記載の歯列矯正用支持体。
【請求項４】
ネジ部材（１４）の座面（１４ｃ）がテーパー状に形成されていることを特徴とする請求項１〜３のいずれか１項に記載の歯列矯正用支持体。
【請求項５】
ネジ部材（１４）の座面（１４ｃ）とホルダー（１６）との間にアンカー部材（１２）の拡大部（２４）が介在している状態において、アンカー部材（１２）の拡大部（２４）がネジ部材（１４）の座面（１４ｃ）に対応してテーパー状に形成されることを特徴とする請求項１〜４のいずれか１項に記載の歯列矯正用支持体。
【請求項６】
アンカー部材（１２）の拡大部がスリット（２４ｂ）付きの管状部（２４）として構成されていることを特徴とする請求項１〜５のいずれか１項に記載の歯列矯正用支持体。
【請求項７】
スリット（２４ｂ）の一端を開放し、他端にスリット（２４ｂ）の幅よりも大きな径を有する孔を設けたことを特徴とする請求項６に記載の歯列矯正用支持体。
【請求項８】
ホルダー（１６）が貫通孔を有し、アンカー部材（１２）がホルダー（１６）の貫通孔の周面（１６ｃ）に押圧されることにより、ホルダー（１６）がアンカー部材（１２）に対して固定されることを特徴とする請求項１〜７のいずれか１項に記載の歯列矯正用支持体。
【請求項９】
ホルダー（１６）の貫通孔の径がネジ部材（１４）の最大外径よりも大きいことを特徴とする請求項８に記載の歯列矯正用支持体。
【請求項１０】
ホルダー（１６）の貫通孔がテーパー形状になっていて抜けにくくなっていることを特徴とする請求項８または９に記載の歯列矯正用支持体。
【請求項１１】
ホルダー（１３６）の貫通孔の周面に凹凸を形成したことを特徴とする請求項８〜１０のいずれか1項に記載の歯列矯正用支持体。
【請求項１２】
２本以上のアンカー部材が使用されていて、それらのアンカー部材がワイヤーホルダーによって連結されていることを特徴とする請求項１〜１１に記載の歯列矯正用支持体。
【発明の詳細な説明】
【技術分野】
【０００１】
本発明は、歯列矯正用支持体に関するものである。
【背景技術】
【０００２】
歯列矯正用支持体に使用されるインプラント体（植立部材）には、スクリュータイプ、プレートタイプのものがある。
【０００３】
例えば、プレートタイプのインプラント体として、特許文献１には、可動粘膜貫通部の表面に鏡面加工を施した歯科矯正用支持体が示されている。また、特許文献２には、露出部が実質的にプレート状に形成されていて、露出部において矯正用ワイヤーが支持される歯列矯正用支持体が示されている。
【０００４】
インプラント体に矯正装置を装着する際には、インプラント体上部に設けられた穴やフックを設けてそれを利用したり、別途アバットメントもしくは連結部材をかしめたり直接ネジ止めしたりしている。
【０００５】
海外では、ストローマンオーソシステムと呼ばれる口蓋用のインプラント体がある。このインプラント体においては、インプラント体上部の形状に合致する形状のバーをはめ込み、その上からカバーキャップを取り付けてネジ止めしている。またカバーキャップに直接ワイヤーをロー着してネジ止めしている。
【０００６】
また、特許文献３及び４には、スクリュータイプのインプラント体が示されている。
【特許文献１】特開平１１−１６４８４３号公報
【特許文献２】特願２００３−３００８６２号明細書
【特許文献３】特開２００１−１８７０７１号公報
【特許文献４】特開平１０−９９３４７号公報
【発明の開示】
【発明が解決しようとする課題】
【０００７】
しかしながら、歯列矯正用支持体の構成部品は極めて小さいため、口腔内での作業が煩雑である。特に矯正装置をインプラント体にネジ止めする構成の歯列矯正用支持体では、ネジ部材が小さいため、矯正装置の着脱の際に口腔内に落下し、誤飲する危険があった。
【０００８】
本発明は、口腔内での作業を安全で容易に行うことが出来る歯列矯正用支持体を提供することを目的としている。
【課題を解決するための手段】
【０００９】
本発明の解決手段を例示すると、次のとおりである。
【００１０】
（１）  骨（１８）に固定するためのアンカー部材（１２）と、アンカー部材（１２）のメネジ部（２６）に係合するネジ部材（１４）と、アンカー部材（１２）に支持されるホルダー（１６）からなり、ネジ部材（１４）がアンカー部材（１２）のメネジ部（２６）に締め込まれた状態において、ホルダー（１６）がアンカー部材（１２）に対して固定され、かつ、アンカー部材（１２）のメネジ部（２６）に対して緩められてはいるが依然としてアンカー部材（１２）のメネジ部（２６）内に存在する状態において、ホルダー（１６）がアンカー部材（１２）から取り外し可能になることを特徴とする歯列矯正用支持体。
【００１１】
（２）  骨（１８）に固定するためのアンカー部材（１２）と、アンカー部材（１２）のメネジ部（２６）に係合するネジ部材（１４）と、アンカー部材（１２）に支持されるホルダー（１６）からなり、アンカー部材（１２）が拡大部（２４）を有し、アンカー部材（１２）のメネジ部（２６）に対してネジ部材（１４）を締めることにより、アンカー部材（１２）の拡大部（２４）が拡大されてホルダー（１６）が固定され、かつ、アンカー部材（１２）のメネジ部（２６）に対してネジ部材（１４）を緩めることによりネジ部材（１４）がアンカー部材（１２）のメネジ部（２６）内に存在する状態で、ホルダー（１６）がアンカー部材（１２）から取り外しできる構成にした歯列矯正用支持体。
【００１２】
（３）  ネジ部材（１４）の座面（１４ｃ）とホルダー（１６）との間にアンカー部材（１２）の拡大部（２４）が介在していることを特徴とする前述の歯列矯正用支持体。
【００１３】
（４）  ネジ部材（１４）の座面（１４ｃ）がテーパー状に形成されていることを特徴とする前述の歯列矯正用支持体。
【００１４】
（５）  ネジ部材（１４）の座面（１４ｃ）とホルダー（１６）との間にアンカー部材（１２）の拡大部（２４）が介在している状態において、アンカー部材（１２）の拡大部（２４）がネジ部材（１４）の座面（１４ｃ）に対応してテーパー状に形成されることを特徴とする前述の歯列矯正用支持体。
【００１５】
（６）  アンカー部材（１２）の拡大部がスリット（２４ｂ）付きの管状部（２４）として構成されていることを特徴とする前述の歯列矯正用支持体。
【００１６】
（７）  スリット（２４ｂ）の一端を開放し、他端にスリット（２４ｂ）の幅よりも大きな径を有する孔を設けたことを特徴とする前述の歯列矯正用支持体。
【００１７】
（８）  ホルダー（１６）が貫通孔を有し、アンカー部材（１２）がホルダー（１６）の貫通孔の周面（１６ｃ）に押圧されることにより、ホルダー（１６）がアンカー部材（１２）に対して固定されることを特徴とする前述の歯列矯正用支持体。
【００１８】
（９）  ホルダー（１６）の貫通孔の径がネジ部材（１４）の最大外径よりも大きいことを特徴とする先述の歯列矯正用支持体。
【００１９】
（１０）  ホルダー（１６）の貫通孔がテーパー形状になっていて抜けにくくなっていることを特徴とする先述の歯列矯正用支持体。
【００２０】
（１１）  ホルダー（１３６）の貫通孔の周面に凹凸を形成したことを特徴とする先述の歯列矯正用支持体。
【発明の効果】
【００２１】
本発明の歯列矯正用支持体によれば、口腔内での歯列矯正作業を容易に行うことができる。アンカー部材を口腔内の所望の骨に固定し、ホルダーをアンカー部材に取付ける場合、アンカー部材のメネジ部に対してネジ部材を締めたり緩めたりするだけでホルダーをアンカー部材に対して着脱できる。それゆえ、ネジ部材が口腔内に落下するのを確実に防止できる。
【００２２】
好ましい態様によれば、ネジ部材の座面とホルダーとの間にアンカー部材の拡大部が介在している。この場合、とくに、ネジ部材が緩みにくい。
【００２３】
好ましい態様によれば、ネジ部材の座面がテーパー状に形成されている。この場合、ネジ部材がアンカー部材にクサビ状に食い込みやすく、ホルダーを支持しやすい。さらに、ネジ部材が緩みにくい。また、ネジ部材でホルダーを直接止めないので、ホルダーつまり矯正装置から干渉されにくく、緩みにくい。
【００２４】
好ましい態様によれば、アンカー部材が拡大部を有し、拡大部がスリット付きの管状部として構成されているため、アンカー部材を容易に拡大できる。スリットの一端を開放し、他端にスリットの幅よりも大きな径を有する孔を設ければ、アンカー部材を一層容易に拡大できる。
【００２５】
好ましい態様によれば、ホルダーの貫通孔がテーパー形状になっていて抜けにくくなっている。
【発明を実施するための最良の形態】
【００２６】
本発明の歯列矯正用支持体は、口腔内の骨に固定するためのアンカー部材と、アンカー部材の頭部に形成されたメネジ部に着脱可能に係合するネジ部材と、アンカー部材に着脱可能に固定されるホルダーからなり、ネジ部材がアンカー部材のメネジ部に締め込まれた状態において、ホルダーがアンカー部材に対して固定され、かつ、アンカー部材のメネジ部に対して緩められてはいるが依然としてアンカー部材のメネジ部内に存在する状態において、ホルダーがアンカー部材から取り外し可能になる。
【００２７】
また、本発明の別の形態においては、歯列矯正用支持体は、骨に固定するためのアンカー部材と、アンカー部材の頭部に形成されたメネジ部に着脱可能に係合するネジ部材と、アンカー部材に着脱可能に固定されるホルダーからなり、アンカー部材が拡大部を有し、アンカー部材のメネジ部に対してネジ部材を締めることによりアンカー部材の拡大部が拡大されることによりホルダーがアンカー部材に固定され、かつ、アンカー部材のメネジ部に対してネジ部材を緩めることによりネジ部材がアンカー部材のメネジ部内に存在するときにホルダーがアンカー部材から取り外しできる。
【００２８】
ネジ部材の座面とホルダーとの間にアンカー部材の拡大部を介在させ、ネジ部材の座面がテーパー状に形成されているのが好ましい。なお、ネジ部材の首下からネジ部までの部分をテーパー状にし、或いは、ネジ部をテーパー状にしてテーパーネジとしてよい。
【００２９】
以下の実施例に示すように、ネジ部材とアンカー部材の拡大部の両方を対応するテーパー状に形成するのが好ましいが、本発明はテーパー形状でない形状を採用したり、ネジ部材とアンカー部材の拡大部のいずれか一方をテーパー状に形成する場合をも含むものである。
【００３０】
アンカー部材の拡大部はテーパー形状のものでも構成できる。
【００３１】
アンカー部材が拡大部を有し、拡大部がテーパー状に形成されてスリット付きの管状部として構成されるのが好ましい。スリットの一端を開放し、他端にスリットの幅よりも大きな径を有する孔を設けることもできる。なお、拡大部を幅広の空間を有する管状部として構成することもできる。ネジ部材の最大外径が拡大部の最大外径よりも小さい構成が好ましい。
【００３２】
ホルダーが貫通孔を有し、アンカー部材がそのホルダーの貫通孔の周面に押圧されて固定される構成にすることもできる。
【００３３】
本明細書においてテーパーは最も広義に解するものとする。
【００３４】
本発明による歯列矯正用支持体は、金属製が好ましいが、樹脂製等としても良く、口蓋の骨に固定して用いるのが好ましいが、他の部位に固定して用いることも可能である。
【実施例】
【００３５】
以下、図面を参照して本発明の実施例を説明する。
【００３６】
実施例１
図１は、本発明の歯列矯正用支持体の一例を示す断面図である。図２Ａは、図１の上面図である。なお、図１は図２ＡのＡ−Ａ断面図に対応している。
【００３７】
歯列矯正用支持体１０は、アンカースクリュー１２、拡張ネジ１４、及びワイヤーホルダー１６からなる。アンカースクリュー１２、拡張ネジ１４、及びワイヤーホルダー１６は、本発明のアンカー部材、ネジ部材、及びホルダーにそれぞれ対応している。
【００３８】
アンカースクリュー１２は、金属製の剛体部材からなり、オネジ部２０、中間部２２、及び本発明の拡大部としての管状部２４からなる。なお、図２Ｂは、ワイヤーホルダー１６とワイヤー１７の関係の一例を示す上面図である。図２Ｃは、図２ＢのＢ−Ｂ断面図である。図２Ｄは、アンカースクリュー１２の一例を示す上面図である。図２Ｅは、図２ＤのＣ−Ｃ断面図である。
【００３９】
アンカースクリュー１２の下部は、オネジ部２０として構成されている。オネジ部２０は、骨としての口蓋１８に埋め込まれてアンカースクリュー１２を植立させるために用いられる。
【００４０】
アンカースクリュー１２の中央領域は、中間部２２として構成されている。中間部２２はオネジ部２２や管状部２４と比較してやや大径である。中間部２２の外側上方に後述するワイヤーホルダー１６の下端が載置されるようになっている。
【００４１】
アンカースクリュー１２の上部は、管状部２４として構成されている。管状部２４は、一定の柔軟性を有していて、ワイヤーホルダー１６を固定するのに用いられる。
【００４２】
管状部２４の内周面２４ａは、テーパー状に形成されている。内周面２４ａは、上方に拡径した平らな面である。内周面２４ａのテーパー角度は１２°である。
【００４３】
管状部２４は、周方向に等間隔で上方に開放した４つのスリット２４ｂを有している。４つのスリット２４ｂは、管状部２４を変形（拡大）しやすくするためのものである。スリット２４ｂの下端には、スリット２４ｂの幅よりも大きな径を有する孔が設けられている。この孔により、管状部２４が一層変形（拡大）しやすくなっている。
【００４４】
スリットは、図示例の４本に限らず、４本以上の偶数本にするのが好ましい。
【００４５】
アンカースクリュー１２の内部には、拡張ネジ１４のためのメネジ部２６が設けられている。
【００４６】
拡張ネジ１４は、頭部１４ａとオネジ部１４ｂを有する。
【００４７】
頭部１４ａの座面１４ｃは、テーパー状に形成されていて、管状部２４の内周面２４ａと対応している。
【００４８】
オネジ部１４ｂはメネジ部２６と対応しており、これらにより拡張ネジ１４はアンカースクリュー１２に締め込まれる。
【００４９】
ワイヤーホルダー１６は、固定部１６ａと保持部１６ｂからなる。
【００５０】
固定部１６ａは、内部に貫通孔を有している。貫通孔の周面１６ｃは、管状部２４の外周面と対応した形状を有している。
【００５１】
保持部１６ｂは、歯列矯正用のワイヤー１７をその側方に保持するために用いられる。
【００５２】
歯列矯正用支持体１０の使用法の一例を説明する。
【００５３】
拡張ネジ１４をアンカースクリュー１２に対して緩めた状態で係合させる。すなわち、拡張ネジ１４がアンカースクリュー１２のメネジ部２６に対して緩められてはいるが依然としてアンカースクリュー１２のメネジ部２６内に存在する状態になっている。このとき、管状部２４は拡大していない。
【００５４】
ワイヤーホルダー１６をアンカースクリュー１２に載置する。ワイヤーホルダー１６の貫通孔の径が拡張ネジ１４の最大外径よりも大きいので、ワイヤーホルダー１６をアンカースクリュー１２に自由に載置できる。
【００５５】
拡張ネジ１４をアンカースクリュー１２に対して締め込む。アンカースクリュー１２の管状部２４が拡大されて、ワイヤーホルダー１６に接触する。こうしてワイヤーホルダー１６がアンカースクリュー１２に対して固定される。さらに、ワイヤーホルダー１６の貫通孔１６ｃがテーパー形状となっていて抜けにくい。
【００５６】
従って、ワイヤーホルダー１６をアンカースクリュー１２に固定させる場合は、拡張ネジ１４をアンカースクリュー１２に対して締め込むだけでよい。ワイヤーホルダー１６をアンカースクリュー１２から取り外す場合は、拡張ネジ１４を緩めるだけでよい。すなわち、ワイヤーホルダー１６の着脱は、アンカースクリュー１２に対して拡張ネジ１４を締める／緩めるの操作だけで行えるのである。ホルダー貫通孔に凹凸加工を施せば、ある程度の回転力に耐えられる。
【００５７】
実施例２
図３は、本発明の歯列矯正用支持体の別の例を示す上面図である。図４は、図３のＤ−Ｄ断面図である。
【００５８】
歯列矯正用支持体３０は、２組のアンカースクリュー３２と拡張ネジ３４、及びワイヤーホルダー３６からなる。アンカースクリュー３２、拡張ネジ３４、及びワイヤーホルダー３６は、本発明のアンカー部材、ネジ部材、及びホルダーにそれぞれ対応している。
【００５９】
各アンカースクリュー３２は、金属製の剛体部材からなり、オネジ部４０、中間部４２、及び本発明の拡大部としての管状部４４からなる。
【００６０】
アンカースクリュー３２の下部は、オネジ部４０として構成されている。オネジ部４０は、骨としての口蓋３８に埋め込まれてアンカースクリュー３２を植立させるために用いられる。
【００６１】
アンカースクリュー３２の中央領域は、中間部４２として構成されている。中間部４２はオネジ部４０や管状部４４と比較してやや大径である。中間部４２の外側上方に後述するワイヤーホルダー３６の下端が載置されるようになっている。
【００６２】
アンカースクリュー３２の上部は、管状部４４として構成されている。管状部４４は、一定の柔軟性を有していて、ワイヤーホルダー３６を固定するのに用いられる。
【００６３】
管状部４４の内周面（図示省略）は、テーパー状に形成されている。内周面は、上方に拡径した平らな面である。
【００６４】
管状部４４は、周方向に等間隔で上方に開放した４つのスリット４４ｂを有している。４つのスリット４４ｂは、管状部４４を変形（拡大）しやすくするためのものである。
【００６５】
アンカースクリュー３２の内部には、拡張ネジ３４のためのメネジ部４６が設けられている。
【００６６】
拡張ネジ３４は、頭部３４ａとオネジ部３４ｂを有する。
【００６７】
頭部３４ａの座面は、テーパー状に形成されていて、管状部４４の内周面と対応している。
【００６８】
オネジ部３４ｂはメネジ部３４ａと対応しており、これらにより拡張ネジ３４はアンカースクリュー３２に締め込まれる。
【００６９】
ワイヤーホルダー３６は、２つの固定部３６ａと保持部３６ｂからなる。
【００７０】
２つの固定部３６ａは、それぞれ貫通孔を有している。貫通孔の周面３６ｃは、管状部４４の外周面と対応した形状を有している。なお、貫通孔の径は拡張ネジ３４の外径よりも広い。
【００７１】
保持部３６ｂは、歯列矯正用のワイヤー３７をその側方に保持するために用いられる。
【００７２】
歯列矯正用支持体３０の使用法の一例を説明する。
【００７３】
拡張ネジ３４をアンカースクリュー３２に対して緩めた状態で係合させる。すなわち、拡張ネジ３４がアンカースクリュー３２のメネジ部３４ａに対して緩められてはいるが依然としてアンカースクリュー３２のメネジ部３４ａ内に存在する状態になっている。このとき、管状部４４は拡大していない。
【００７４】
ワイヤーホルダー３６をアンカースクリュー３２に載置する。拡張ネジ３４の最大外径が管状部４４の最大外径よりも小さいので、ワイヤーホルダー３６をアンカースクリュー３２に自由に載置できる。
【００７５】
拡張ネジ３４をアンカースクリュー３２に対して締め込む。アンカースクリュー３２の管状部４４が拡大されて、ワイヤーホルダー３６に接触する。こうしてワイヤーホルダー３６がアンカースクリュー３２に対して固定される。さらに、ワイヤーホルダー３６の貫通孔がテーパーとなっているので抜けにくい。
【００７６】
従って、ワイヤーホルダー３６をアンカースクリュー３２に固定させる場合は、拡張ネジ３４をアンカースクリュー３２に対して締め込むだけでよい。ワイヤーホルダー３６をアンカースクリュー３２から取り外す場合は、拡張ネジ３４を緩めるだけでよい。すなわち、ワイヤーホルダー３６の着脱は、アンカースクリュー３２に対して拡張ネジ３４を締める／緩めるの操作だけで行えるのである。
【００７７】
特に、ワイヤーホルダー３６は、２つのアンカースクリュー３２で固定されているので、拡張ネジ３４に対して回転することがなく、ワイヤー３７を強固に固定することができる。
【００７８】
実施例３
図５は、本発明の歯列矯正用支持体の更に別の例を示す図である。
【００７９】
歯列矯正用支持体５０は、アンカースクリュー５２、拡張ネジ５４、及びワイヤーホルダー５６からなる。アンカースクリュー５２、拡張ネジ５４、及びワイヤーホルダー５６は、本発明のアンカー部材、ネジ部材、及びホルダーにそれぞれ対応している。
【００８０】
アンカースクリュー５２は、金属製の剛体部材からなり、オネジ部６０、中間部６２、及び本発明の拡大部としての管状部６４からなる。
【００８１】
アンカースクリュー６２の下部は、オネジ部６０として構成されている。オネジ部６０は、図示省略された骨に埋め込まれてアンカースクリュー５２を植立させるために用いられる。
【００８２】
アンカースクリュー５２の中央領域は、中間部６２として構成されている。中間部６２はオネジ部６０や管状部６４と比較してやや大径である。中間部６２の外側上方に後述するホルダー５６の下端が載置されるようになっている。
【００８３】
アンカースクリュー５２の上部は、管状部６４として構成されている。管状部６４は、一定の柔軟性を有していて、ワイヤーホルダー５６を固定するのに用いられる。
【００８４】
管状部６４の内周面６４ａは、テーパー状に形成されている。内周面６４ａは、上方に拡径した平らな面である。
【００８５】
管状部６４は、周方向に等間隔で上方に開放した４つのスリット６４ｂを有している。４つのスリット６４ｂは、管状部６４を変形（拡大）しやすくするためのものである。
【００８６】
アンカースクリュー５２の内部には、拡張ネジ５４のためのメネジ部６６が設けられている。
【００８７】
拡張ネジ５４は、頭部５４ａとオネジ部５４ｂを有する。
【００８８】
頭部５４ａの座面５４ｃは、テーパー状に形成されていて、管状部６４の内周面６４ａと対応している。
【００８９】
オネジ部５４ｂはメネジ部６６と対応しており、これらにより拡張ネジ５４はアンカースクリュー５２に締め込まれる。
【００９０】
ワイヤーホルダー５６は、貫通孔（図示省略）を有している。貫通孔の周面５６ｃは、管状部６４の外形に対応するテーパー形状を有している。なお、貫通孔の径は拡張ネジ５４の最大外径よりも大きい。
【００９１】
矯正装置５７は、歯列矯正用のワイヤなどでそれに矯正用のパーツを取付けて用いる。矯正装置５７は、ワイヤーホルダー５６にロー付されていて、アンカースクリュー５２に装着される。
【００９２】
歯列矯正用支持体５０の使用法の一例を説明する。
【００９３】
拡張ネジ５４をアンカースクリュー５２に対して緩めた状態で係合させる。すなわち、拡張ネジ５４がアンカースクリュー５２のメネジ部６６に対して緩められて入るが依然としてアンカースクリュー５２のメネジ部６６内に存在する状態になっている。このとき、管状部６４は拡大していない。
【００９４】
ワイヤーホルダー５６を、矢印Ｘに沿って図中下方に移動させて、アンカースクリュー５２に載置する。ワイヤーホルダー５６の貫通孔の径が拡張ネジ５４の最大外径よりも大きいので、ワイヤーホルダー５６をアンカースクリュー５２に自由に載置できる。
【００９５】
拡張ネジ５４をアンカースクリュー５２に対して締め込む。アンカースクリュー５２の管状部６４が拡大されて、ワイヤーホルダー５６に接触する。こうしてワイヤーホルダー５６がアンカースクリュー５２に対して固定される。
【００９６】
従って、ワイヤーホルダー５６をアンカースクリュー５２に固定させる場合は、拡張ネジ５４をアンカースクリュー５２に対して締め込むだけでよい。ワイヤーホルダー５６をアンカースクリュー５２から取り外す場合は、拡張ネジ５４を緩めるだけでよい。すなわち、ワイヤーホルダー５６の着脱は、アンカースクリュー５２に対して拡張ネジ５４を締める／緩めるの操作だけで行えるのである。
【００９７】
実施例４
図６Ａは、図５のアンカースクリュー５２及びワイヤーホルダー５６の使用例を説明するための説明図である。
【００９８】
図中符号５６１は、カバーを示している。カバー５６１は、アンカースクリュー５２の上部に載置させて用いられる。カバー５６１の貫通孔の形状はワイヤーホルダー５６のそれと基本的に同じである。なお、図６Ｂはカバーの上面図である。図６Ｃは図６ＢのＧ−Ｇ断面図である。
【００９９】
アンカースクリュー５２を使用する場合には、たとえば、アンカースクリュー５２を口腔内に植立したら、そのまま、しばらく放置する。このとき、カバー５６１をアンカースクリュー５２の上部に装着させておく（図示省略）。
【０１００】
周囲の骨が安定したのち、装着していたカバー５６１を外す。（矢印Ｅ）
矯正装置（ワイヤー）５７をロー着したワイヤーホルダー５６をアンカースクリュー５２に装着する。（矢印Ｆ）
矯正装置（ワイヤー）５７をロー着したワイヤーホルダー５６は、治療の進展に伴い繰り返し着脱することがある。カバー５６１を最初に装着しておき、あとからワイヤーホルダー５６と交換する。
【０１０１】
実施例５
図７、８は、本発明の歯列矯正用支持体に使用されるアンカー部材の例を示す。図９、１０は、本発明の歯列矯正用支持体に使用されるネジ部材の例を示す。
【０１０２】
図７は、本発明のアンカー部材としてのアンカースクリューの例を示す上面図である。図８は、図７のＨ―Ｈ断面図である。
【０１０３】
アンカースクリュー７２は、金属製の剛体部材からなり、オネジ部８０、中間部８２、及び本発明の拡大部としての管状部８４からなる。
【０１０４】
アンカースクリュー７２の下部は、オネジ部８０として構成されている。オネジ部８０は、図示省略された骨に埋め込まれてアンカースクリュー７２を植立させるために用いられる。
【０１０５】
アンカースクリュー７２の中央領域は、中間部８２として構成されている。中間部８２はオネジ部８０や管状部８４と比較してやや大径である。中間部８２の外側上方にホルダー（図示省略）の下端が載置されるようになっている。
【０１０６】
アンカースクリュー７２の上部は、管状部８４として構成されている。管状部８４は、一定の柔軟性を有していて、ホルダーを固定するのに用いられる。
【０１０７】
管状部８４の内周面８４ａは、テーパー状に形成されている。内周面８４ａは、上方に拡径した平らな面である。内周面８４ａのテーパー角度は１２°である。
【０１０８】
管状部８４は、周方向に等間隔で上方に開放した６つのスリット８４ｂを有している。６つのスリット８４ｂは、管状部８４を一層変形（拡大）しやすくするためのものである。
【０１０９】
アンカースクリュー７２の内部には、拡張ネジ７４のためのメネジ部８６が設けられている。
【０１１０】
図９は、本発明のネジ部材としての拡張ネジの例を示す上面図である。図１０は、図９の側面図である。
【０１１１】
拡張ネジ７４は、頭部７４ａとオネジ部７４ｂを有する。
【０１１２】
頭部７４ａの座面７４ｃは、テーパー状に形成されていて、管状部８４の内周面８４ａと対応している。図示された実施例において、頭部７４ａのテーパー角度は、１６°である。
【０１１３】
オネジ部７４ｂはメネジ部８６と対応しており、これらにより拡張ネジ７４はアンカースクリュー７２に締め込まれる。
【０１１４】
実施例６
図１１は、本発明の歯列矯正用支持体の使用例を示す図である。
【０１１５】
歯列矯正用支持体９０は、口蓋９８に固定されて大臼歯遠心移動に用いられている。
【０１１６】
歯列矯正用支持体９０は、アンカースクリュー９２、拡張ネジ９４、及びワイヤーホルダー９６からなる。アンカースクリュー９２、拡張ネジ９４、及びワイヤーホルダー９６の構成には、先述の実施例に示した構成を採用できる。
【０１１７】
ワイヤーホルダー９６には、ワイヤー９７が取付けられている。ワイヤー９７にはチューブ及びコイルスプリングが取付けられていて、これらにより大臼歯遠心移動が行われる。
【０１１８】
ワイヤーホルダー９６をアンカースクリュー９２から取り外す場合は、拡張ネジ９４を緩めるだけでよい。ワイヤーホルダー９６をアンカースクリュー９２に固定する場合は、ワイヤーホルダー９６をアンカースクリューに載置した後、拡張ネジ９４を締めるだけでよい。
【０１１９】
実施例７
図１２は、本発明の別の歯列矯正用支持体の使用例を示す図である。
【０１２０】
歯列矯正用支持体１１０は、口蓋１１８に固定されて片側のみの大臼歯遠心移動に用いられている。
【０１２１】
歯列矯正用支持体１１０は、アンカースクリュー１１２、拡張ネジ１１４、及びワイヤーホルダー１１６からなる。アンカースクリュー１１２、拡張ネジ１１４、及びワイヤーホルダー１１６の構成には、先述の実施例に示した構成を採用できる。
【０１２２】
ワイヤーホルダー１１６には、ワイヤー１１７が取付けられている。ワイヤー１１７にはチューブ及びコイルスプリングが取付けられていて、これらにより片側のみの大臼歯遠心移動が行われる。
【０１２３】
ワイヤーホルダー１１６をアンカースクリュー１１２から取り外す場合は、拡張ネジ１１４を緩めるだけでよい。ワイヤーホルダー１１６をアンカースクリュー１１２に固定する場合は、ワイヤーホルダー１１６をアンカースクリューに載置した後、拡張ネジ１１４を締めるだけでよい。
【０１２４】
図１３は、ワイヤーホルダーの変形例を示す。ワイヤーホルダー１３６の貫通孔の周面に凹凸をつければ、アンカースクリュー１本でもある程度まで回転を抑えることができる。
【０１２５】
なお、本発明は図示された実施例に限定されない。ネジ部材、アンカー部材、及びホルダーは、本発明の範囲内で任意の形状とすることができる。
【図面の簡単な説明】
【０１２６】
【図１】本発明の歯列矯正用支持体の一例を示す断面図である。
【図２Ａ】図１の上面図である。
【図２Ｂ】ワイヤーホルダーとワイヤーの関係の一例を示す上面図である。
【図２Ｃ】図２ＢのＢ−Ｂ断面図である。
【図２Ｄ】アンカースクリューの一例を示す上面図である。
【図２Ｅ】図２ＤのＣ−Ｃ断面図である。
【図３】本発明の歯列矯正用支持体の別の例を示す上面図である。
【図４】図３のＤ−Ｄ断面図である。
【図５】本発明の歯列矯正用支持体の更に別の例を示す図である。
【図６Ａ】図５のアンカースクリュー及びワイヤーホルダーの使用例を説明するための説明図である。
【図６Ｂ】カバーの上面図である。
【図６Ｃ】図６ＢのＧ−Ｇ断面図である。
【図７】本発明のアンカー部材としてのアンカースクリューの例を示す上面図である。
【図８】図７のＨ−Ｈ断面図である。
【図９】本発明のネジ部材としての拡張ネジの例を示す上面図である。
【図１０】図９の側面図である。
【図１１】本発明の歯列矯正用支持体の使用例を示す図である。
【図１２】本発明の別の歯列矯正用支持体の使用例を示す図である。
【図１３】ワイヤーホルダーの変形例を示す。
【符号の説明】
【０１２７】
１０、３０、５０、５０１、９０、１１０  歯列矯正用支持体
１２、３２、５２、７２、９２、１１２  アンカースクリュー
１４、３４、５４、７４、９４、１１４  拡張ネジ
１４ａ、３４ａ、５４ａ、７４ａ  頭部
１４ｂ、２０、３４ｂ、４０、５４ｂ、６０、８０、７４ｂ  オネジ部
１４ｃ、２４ａ、５４ｃ、６４ａ、７４ｃ、８４ａ  内周面
１６、３６、５６、９６、１１６、１３６  ワイヤーホルダー
１６ａ、３６ａ  固定部
１６ｂ、３６ｂ  保持部
１６ｃ、３６ｃ、５６ｃ  貫通孔の周面
１７、３７、９７、１１７  ワイヤー
１８、３８、９８、１１８  口蓋
２２、４２、６２、８２  中間部
２４、４４、６４、８４  管状部
２４ｂ、４４ｂ、６４ｂ、８４ｂ  スリット
２６、４６、６６、８６  メネジ部
５７  矯正装置
【図１】
2005270175.tif 000003
【図２Ａ】
2005270175.tif 000004
【図２Ｂ】
2005270175.tif 000005
【図２Ｃ】
2005270175.tif 000006
【図２Ｄ】
2005270175.tif 000007
【図２Ｅ】
2005270175.tif 000008
【図３】
2005270175.tif 000009
【図４】
2005270175.tif 000010
【図５】
2005270175.tif 000011
【図６Ａ】
2005270175.tif 000012
【図６Ｂ】
2005270175.tif 000013
【図６Ｃ】
2005270175.tif 000014
【図７】
2005270175.tif 000015
【図８】
2005270175.tif 000016
【図９】
2005270175.tif 000017
【図１０】
2005270175.tif 000018
【図１１】
2005270175.tif 000019
【図１２】
2005270175.tif 000020
【図１３】
2005270175.tif 000021